(57)【要約】【課題】靴下を対として保持された状態で、洗濯を可能とし、分類、乾燥、取り込み、整理等、本来の目的である洗濯性能に支障を来す事無く、作業効率を高める為の靴下対保持ベルトを得ること。【解決手段】筒状の心材１の両端部各々にベルト３の内側中間部を固定し、心材１に吊り下げ用紐を取り付け、筒状の心材１の外側及びベルト３の内側に立毛状の滑り止めを設け、靴下対保持ベルトを可能にする。【選択図】図１
2004298584.tif 000002
【特許請求の範囲】
【請求項１】
心材の両端部各々にベルトの内側中間部を固定し、心材に吊り下げ用紐を取り付けたことを特徴とする靴下対保持ベルト。
【請求項２】
心材の外側及びベルトの内側に滑り止めを設けた事を特徴とする請求項１の靴下対保持ベルト。
【請求項３】
心材を筒状としたことを特徴とする請求項１又は、２の靴下対保持ベルト。
【請求項４】
滑り止めを立毛としたことを特徴とする請求項１、２又は、３の靴下対保持ベルト。
【発明の詳細な説明】
【０００１】
【発明の属する技術分野】
この発明は、靴下の洗濯に際し、対に係る手間のかかる作業の効率を高める靴下対保持ベルトに関する。
【０００２】
【従来の技術】
従来、靴下の洗濯は、分類、乾燥、取り込み、整理等に、手間がかかる作業であった。
特に洗濯機を使用し洗濯した場合など対のものがばらばらになり、他の混在のなかから探し出し対を揃える事が大変であった。
【０００３】
従来の技術によると、はさみ式（特許公開平１０−２９５９９１）やピンチ式（実願平１０−３２２９）などでは、本体により挟まれた部分が通水性、通気性に欠け、汚れ落ちが悪く本来の目的である洗濯性能、乾燥性能に問題があった。
【０００４】
又、取り付けた状態では、対の保持に耐える強度を持つ硬質素材を必要とした本体の露出部分が多く、洗濯機を使用した洗濯の際に洗濯機本体の回転扇、洗濯層との接触による音の発生や洗濯機本体を傷める可能性があった。
【０００５】
【発明が解決しようとする課題】
この発明は、靴下を対として保持された状態で、洗濯を可能とし、分類、乾燥、取り込み、整理等、本来の目的である洗濯性能に支障を来す事無く、作業効率を高める為の靴下対保持ベルトを得ること。
【０００６】
【課題を解決するための手段】
以上の課題を解決するために、請求項１の発明は、心材の両端部各々にベルトの内側中間部を固定し、心材に吊り下げ用紐を取り付けたことを特徴とする靴下対保持ベルトである。
又、請求項２の発明は、心材の外側及びベルトの内側に滑り止めを設けた事を特徴とする靴下対保持ベルトである。
又、請求項３の発明は、心材を筒状としたことを特徴とする靴下対保持ベルトである。
又、請求項４の発明は、滑り止めを立毛としたことを特徴とする靴下対保持ベルトである。
【０００７】
【発明の実施の形態】
この発明において、心材とは、対の靴下を束ねる際に、靴下の形態を崩さずに束ね各々の靴下に適度の隙間を与える為の物で、その素材は、ポリプロピレン等の合成樹脂、木製、金属等がある。
又、その形状は、長方形で筒状、楕円形で筒状、菱形で筒状、或いは筒状を立方体とする事もできる。尚、筒状、或いは立方体の側面は、充分な通水性、通気性が得られるように、網目状、或いは複数の穴が設けられている。
【０００８】
この発明において、ベルトとは、靴下を束ねる為の帯状のもので、その素材は、合成樹脂、合成樹脂からなる人造繊維、布等、通水性、通気性を持つ柔らかいものが適当である。
【０００９】
この発明において、立毛とは、基材或いは該基材等の面から毛足を垂直に延びるように又は、筒状の心材に対して上方に向けて毛足を傾斜するように設けられている直線状及び、ループ状の繊維を意味する。
この発明において、立毛用の繊維は、合成樹脂、動物繊維、植物繊維、再生繊維等の繊維がある。
【００１０】
この発明の一実施形態を、図１に示す。
心材１の外側側面に立毛の滑り止め４を設け、内側に立毛の滑り止め４を設けたベルト３の内側中間部を心材１の両端部２各々の位置に固定し一体としたもので、ベルト３の両端に面ファスナー等５を設けたものである。
又、心材１に、合成樹脂等を素材とする吊り下げ用の紐６が設けられている。
尚、立毛の滑り止め４の毛足の長さは、５ｍｍ〜０．５ｍｍ程度のもので、心材１及びベルト３の幅は、１０ｍｍ〜５０ｍｍ程度のものである。
【００１１】
次に図２及び図３がこの発明の対保持ベルトを対の靴下７に取り付けた状態である。
ベルトを開いた状態で、対の靴下で心材を挟み、各々のベルトを閉じて面ファスナー等５により接着し、対の靴下を１つに束ねる。
【００１２】
「実施形態の効果」
この実施形態によれば、心材１の側面に網目状、或いは、複数の穴を設けた事と靴下との接触面を立毛にした事により、充分な通水性、通気性が得られ洗濯性能、乾燥性に支障を来すことがない。
【００１３】
この実施形態によれば、心材１を対の靴下各々で挟み束ねることで靴下の形態を崩さず乾燥の際、形態を整える手間を省くことができる。
【００１４】
この実施形態によれば、１つに束ねられた状態では、心材１を対の靴下各々で挟んでいるため外周には柔らかな素材のベルトおよび吊り下げ用紐のみが露出する状態となり洗濯機を使用した洗濯の際に洗濯機本体の回転扇、洗濯層との接触による音の発生や洗濯機本体を傷めることが無い。
【００１５】
この実施形態によれば、心材１の側面に網目状、或いは、複数の穴を設けた事とさらにその材質を、ポリプロピレン等とすることで軽量化を図ることができ、洗濯機を使用した洗濯の際にも違和感を持たない。
【００１６】
「他の実施形態」
図１及び図３の実施形態では、心材１の両端部２各々の位置に、ベルト３の内側中間部を固定し一体としたものとしているが、心材１とベルト３の取り付け方法は、例えば図４に示すように２本のベルトで心材１を挟むように配し、心材１両端部２の位置で２本のベルトを固定する、或いは図５に示すように心材両端部外側各々にベルト貫通口８を設け２本のベルトを各々貫通し心材１と一体としたものも可とする。
【００１７】
又、滑り止めを立毛としているが、スポンジ或いはゴム製等の滑りにくい材質の物で突起を複数設ける事でも、又それらの併用も可とする。
【００１８】
【発明の効果】
以上説明したように、この発明によれば、筒状の心材の両端部各々にベルトの内側中間部を固定し、心材に吊り下げ用紐を取り付け、心材の外側及びベルトの内側に立毛の滑り止めを設けた事で、次の様な効果が発揮できる。
【００１９】
１つに束ねられた対の靴下は、靴下に接する心材の外側とベルトの内側に設けられた立毛の滑り止めの働きにより洗濯機を使用した洗濯の時でも対の靴下がベルトから脱落してばらばらになる事が無く、対を保持した状態で取り出し、分類に手間取る事無く、乾燥、取り込み、整理することができ、作業効率を高めることができる。
【００２０】
筒状の心材により各々の靴下に隙間ができ、かつ靴下との接触面を立毛にした事により、充分な通水性、通気性が得られ洗濯性能、乾燥性に支障を来すことがない。
【００２１】
この実施形態によれば、心材１を対の靴下各々で挟み束ねることで靴下の形態を崩さず乾燥の際、形態を整える手間を省くことができる。
【００２２】
１つに束ねられた状態では、心材を対の靴下各々で挟んでいるため外周には柔らかい素材のベルトおよび吊り下げ用紐のみが露出する状態となり洗濯機を使用した洗濯の際に洗濯機本体の回転扇、洗濯層との接触による音の発生や洗濯機本体を傷めることが無い。
【００２３】
ベルトで束ねる事で生地の厚みに左右されずほとんどの靴下に対応できる。
【００２４】
立毛の滑り止めの働きにより靴下を強く挟む必要が無いので生地を傷めることが無い。
【００２５】
靴下を前提としているが手袋等他の対で使用するものにも有効である。
【図面の簡単な説明】
【図１】この発明の一実施形態を示す斜視図である。
【図２】この発明の靴下対保持ベルトで対の靴下を保持させた状態を示す斜視図である。
【図３】
【図４】
【図５】この発明の靴下対保持ベルトで対の靴下を保持させた状態を示す切断平面図である。
【符号の説明】
１  心材                    ５  面ファスナー
２  固定位置                ６  吊り下げ用紐
３  ベルト                  ７  靴下
４  滑り止め                ８貫通口
【図１】
2004298584.tif 000003
【図２】
2004298584.tif 000004
【図３】
2004298584.tif 000005
【図４】
2004298584.tif 000006
【図５】
2004298584.tif 000007